(57)【要約】【課題】  可動部材のストロークが長くなっても、固定部材の全長が長くならず、かつ可動体群がスムーズに移動されるプッシュラッチ装置の提供である。【解決手段】  ケース１に嵌合され、その軸線Ｃの方向に押込み可能な外側可動体３と、外側可動体３に嵌合され、ケース１の軸線Ｃの方向に押込み可能な内側可動体２とを、ケース１に弾装された圧縮ばね４によって突出位置に配置させると共に、内側可動体２が、圧縮ばね４の付勢力に抗してケース１の側に向かって押し込まれたときに、外側可動体３の窓部３４ａに配置される内側可動体２の突起部１７が窓部３４ａ内をスライドして外側可動体３を押し込むことにより、内外の各可動体２，３が一体となってケース１に格納されるようにする。【選択図】  図４
2008190166.tif 000002
【特許請求の範囲】
【請求項１】
固定壁に固定することが予定されていると共に、少なくとも長手方向の一端部側に開口部が形成された中空状の固定部材と、
前記固定部材の内部において、前記一端部側から他端部側へ、前記長手方向に沿って一列状に配置された複数の可動部材を有し、これらの可動部材について、互いに隣り合うものどうしのうちの一端部側のものが他端部側の内部に入り込む入れ子状態に形成すると共に、前記固定部材の開口部よりも一端部側に突出する突出位置と、その突出位置よりも他端部側に収納されて保持される格納位置との間を、前記長手方向に沿って直線的に移動させることによって多段式の伸縮を可能とした可動体群と、
前記固定部材に取り付けられ、前記可動体群を前記突出位置側へ付勢する付勢手段と、
前記格納位置に移動した可動体群を、前記付勢手段の付勢力に抗してそれぞれの位置を保持すると共に、前記可動体群のうち、最も内側に配置される内側可動部材を、前記長手方向の他端部側へ押し込むことによってそれらの位置保持状態を一括して解放する保持手段と、
を備えることを特徴とするプッシュラッチ装置。
【請求項２】
固定壁に固定することが予定されていると共に、少なくとも長手方向の一端部側に開口部が形成された中空状の固定部材と、
前記固定部材の内部において、前記一端部側から他端部側へ、前記長手方向に沿って一列状に配置された複数の可動部材を有し、これらの可動部材について、互いに隣り合うものどうしのうちの一端部側のものが他端部側の内部に入り込む入れ子状態に形成すると共に、前記固定部材の開口部よりも一端部側に突出する突出位置と、その突出位置よりも他端部側に収納されて保持される格納位置との間を、前記長手方向に沿って直線的に移動させることによって多段式の伸縮を可能とした可動体群と、
前記固定部材に取り付けられ、前記可動体群を前記突出位置側へ付勢する付勢手段と、
前記格納位置に移動した可動体群を、前記付勢手段の付勢力に抗してそれぞれの位置を保持すると共に、前記可動体群のうち、最も内側に配置される内側可動部材を、前記長手方向の他端部側へ押し込むことによってそれらの位置保持状態を一括して解放する保持手段と、
前記固定壁に対して接近・離間する移動壁への取付けが予定された連結部と係合するために、前記内側可動部材の一端部に、前記長手方向と交差する回動軸線周りで回動する形態で取り付けられ、前記可動体群が前記格納位置に配置されたときに、前記連結部と係合する一方、その格納位置において前記内側可動部材を前記長手方向の他端部側へ押し込むことによって、前記連結部との係合を解除するチャック部と、
を備えることを特徴とするプッシュラッチ装置。
【請求項３】
前記連結部は、前記移動壁に取り付けられた棒材であり、
前記チャック部は、前記移動壁と前記内側可動部材とが相対的に接近したときに、前記棒材を引っ掛けるために、前記可動部材の移動方向と交差する軸線周りで回動自在に取り付けられた引掛け片であることを特徴とする請求項２に記載のプッシュラッチ装置。
【請求項４】
前記固定壁と前記移動壁とが離間している状態で、前記引掛け片は前記可動部材の底面部よりも下方に配置されていて、
前記内側可動部材が前記棒材に当接し、相対的に押圧されて前記固定部材に嵌合されるように移動するときに、前記引掛け片が隣り合う可動部材の底面部に当接し、前記棒材を引っ掛けるように回動されることを特徴とする請求項３に記載のプッシュラッチ装置。
【請求項５】
前記連結部は、前記移動壁に取り付けられた磁性板であり、
前記チャック部は、前記固定壁と前記移動壁とが相対的に接近したときに、前記磁性板に磁気吸着するマグネットであることを特徴とする請求項２に記載のプッシュラッチ装置。
【請求項６】
前記固定部材の後端部が開口されていて、前記格納位置に移動した可動体群は、それらの後端部を前記固定部材の後端部から突出させて保持されることを特徴とする請求項１ないし５のいずれか１項に記載のプッシュラッチ装置。
【請求項７】
前記固定部材の後端部に形成された開口部は、前記付勢手段を受け止めることができる蓋体によって閉塞されていることを特徴とする請求項６に記載のプッシュラッチ装置。
【請求項８】
前記内側可動部材の前端位置が、前記長手方向に微調整可能であることを特徴とする請求項１ないし７のいずれか１項に記載のプッシュラッチ装置。
【発明の詳細な説明】
【技術分野】
【０００１】
本発明は、中空状の固定部材に可動部材を相対的に押し込むことにより、前記可動部材が前記固定部材に対する突出位置と格納位置とに交互に配置されて保持されるプッシュラッチ装置に関するものである。
【背景技術】
【０００２】
中空状の固定部材に対して可動部材を相対的に押し込むことにより、前記可動部材が前記固定部材に対する突出位置と格納位置とに交互に配置されて保持されるプッシュラッチ装置が存していて、各種の出願がなされている（例えば、特許文献１を参照）。従来のプッシュラッチ装置では、固定部材に対して１つの可動部材が取り付けられている。
【０００３】
近時、プッシュラッチ装置のストロークを長くしてほしいという要望が多くなっている。しかし、ストロークが長くなるのに伴い、プッシュラッチ装置の全長（特に、可動部材が収容された状態での全長）が長くなると共に、移動途中の可動部材が蛇行し易くなって、可動部材がスムーズに動作しなくなるという不具合が生じている。
【特許文献１】実開昭６３−９１６７５号公報
【発明の開示】
【発明が解決しようとする課題】
【０００４】
本発明は、上記した不具合に鑑み、可動部材のストロークが長くなっても、プッシュラッチ装置の全長が長くならず、かつ可動部材がスムーズに移動されるプッシュラッチ装置を提供することを課題としている。
【課題を解決するための手段及び効果】
【０００５】
上記課題を解決するための第１の発明は、
固定壁に固定することが予定されていると共に、少なくとも長手方向の一端部側に開口部が形成された中空状の固定部材と、
前記固定部材の内部において、前記一端部側から他端部側へ、前記長手方向に沿って一列状に配置された複数の可動部材を有し、これらの可動部材について、互いに隣り合うものどうしのうちの一端部側のものが他端部側の内部に入り込む入れ子状態に形成すると共に、前記固定部材の開口部よりも一端部側に突出する突出位置と、その突出位置よりも他端部側に収納されて保持される格納位置との間を、前記長手方向に沿って直線的に移動させることによって多段式の伸縮を可能とした可動体群と、
前記固定部材に取り付けられ、前記可動体群を前記突出位置側へ付勢する付勢手段と、
前記格納位置に移動した可動体群を、前記付勢手段の付勢力に抗してそれぞれの位置を保持すると共に、前記可動体群のうち、最も内側に配置される内側可動部材を、前記長手方向の他端部側へ押し込むことによってそれらの位置保持状態を一括して解放する保持手段と、
を備えることを特徴としている。
【０００６】
上記した構成のプッシュラッチ装置では、中空状の固定部材に入れ子状態で一列状に配置された複数の可動部材が、多段（即ち、テレスコープ式）に伸縮されて、突出位置又は格納位置に配置される。即ち、複数の可動部材より成る可動体群が、重なり状態で固定部材に嵌合され、格納位置に配置される。これにより、可動体群の全ストロークを長くしても、格納位置に配置された可動体群の長さが短くなり、その結果、プッシュラッチ装置の全長が短くなる。また、可動体群が複数個に分割されていて、隣り合う可動部材は、その外部に配置された可動部材又は固定部材に支持されて伸縮する。これにより、ストロークが長くなっても、可動体群は短い距離で支持されて順次伸縮するため、可動体群が蛇行しにくくなり、スムーズに伸縮する。
【０００７】
上記課題を解決するための第２の発明は、
固定壁に固定することが予定されていると共に、少なくとも長手方向の一端部側に開口部が形成された中空状の固定部材と、
前記固定部材の内部において、前記一端部側から他端部側へ、前記長手方向に沿って一列状に配置された複数の可動部材を有し、これらの可動部材について、互いに隣り合うものどうしのうちの一端部側のものが他端部側の内部に入り込む入れ子状態に形成すると共に、前記固定部材の開口部よりも一端部側に突出する突出位置と、その突出位置よりも他端部側に収納されて保持される格納位置との間を、前記長手方向に沿って直線的に移動させることによって多段式の伸縮を可能とした可動体群と、
前記固定部材に取り付けられ、前記可動体群を前記突出位置側へ付勢する付勢手段と、
前記格納位置に移動した可動体群を、前記付勢手段の付勢力に抗してそれぞれの位置を保持すると共に、前記可動体群のうち、最も内側に配置される内側可動部材を、前記長手方向の他端部側へ押し込むことによってそれらの位置保持状態を一括して解放する保持手段と、
前記固定壁に対して接近・離間する移動壁への取付けが予定された連結部と係合するために、前記内側可動部材の一端部に、前記長手方向と交差する回動軸線周りで回動する形態で取り付けられ、前記可動体群が前記格納位置に配置されたときに、前記連結部と係合する一方、その格納位置において前記内側可動部材を前記長手方向の他端部側へ押し込むことによって、前記連結部との係合を解除するチャック部と、
を備えることを特徴としている。
【０００８】
第２の発明は、上記した第１の発明の要件に加えて、移動壁への取付けが予定された連結部と係合し又はその係合を解除するためのチャック部を、内側可動部材の一端部に有している。このため、第１の発明の作用効果が奏されるのに加えて、前記連結部と前記内側可動部材との連結が容易に行われるという効果も奏される。
【０００９】
具体的には、前記連結部は、前記移動壁に取り付けられた棒材であり、
前記チャック部は、前記移動壁と前記内側可動部材とが相対的に接近したときに、前記棒材を引っ掛けるために、前記可動部材の移動方向と交差する軸線周りで回動自在に取り付けられた引掛け片とすることができる。
【００１０】
この場合、引掛け片が棒材を引っ掛ける形態であり、簡単な構成で、かつ確実に連結部と内側可動部材とを連結することができる。
【００１１】
そして、前記固定壁と前記移動壁とが離間している状態で、前記引掛け片は前記可動部材の底面部よりも下方に配置されていて、
前記内側可動部材が前記棒材に当接し、相対的に押圧されて前記固定部材に嵌合されるように移動するときに、前記引掛け片が隣り合う可動部材の底面部に当接し、前記棒材を引っ掛けるように回動されるようにすることが望ましい。
【００１２】
内側可動部材を押し込む操作だけで、引掛け片を自動で回動させることができる。このため、操作が簡単である。
【００１３】
また、前記連結部は、前記移動壁に取り付けられた磁性板であり、
前記チャック部は、前記固定壁と前記移動壁とが相対的に接近したときに、前記磁性板に磁気吸着するマグネットであるようにすることができる。
【００１４】
マグネットにより連結されるため、チャック部の構成が極めて簡単である。
【００１５】
前記固定部材の後端部が開口されていて、前記格納位置に移動した可動体群は、それらの後端部を前記固定部材の後端部から突出させて保持されるようにすることができる。
【００１６】
この場合、格納位置に配置された可動体群の後端部を、固定部材の後端部から突出させることができるため、固定部材の長さを短くすることができる。また、後端部の開口から可動体群を組み付けることもできる。
【００１７】
また、前記固定部材の後端部に形成された開口部は、前記付勢手段を受け止めることができる蓋体によって閉塞させてもよい。
【００１８】
これにより、固定部材に異物が侵入することが防止され、各可動部材を長期間に亘ってスムーズに作動させることができる。
【００１９】
更に、前記内側可動部材の前端位置が、前記長手方向に微調整可能とすることが望ましい。
【００２０】
これにより、プッシュラッチ装置が取り付けられた後であっても、可動部材の前端位置を微調整できるため、その取付け作業が容易になる。
【発明を実施するための最良の形態】
【００２１】
本発明の実施例を説明する。図１は本発明の第１実施例のプッシュラッチ装置１０１の上方からの斜視図、図２は同じく下方からの斜視図、図３は同じく分解斜視図、図４はプッシュラッチ装置１０１の正面断面図、図５は同じく底面断面図である。
【実施例１】
【００２２】
本発明の第１実施例のプッシュラッチ装置１０１について説明する。図１ないし図４に示されるように、第１実施例のプッシュラッチ装置１０１は、角筒状のケース１と、ケース１に収容される２個の可動体（可動体群、即ち、ケース１の最も内面側に配置される内側可動体２と、内側可動体２を嵌合させる外側可動体３）と、内外の各可動体２，３をケース１の軸方向に沿って付勢する圧縮ばね４と、内側可動体２の底面部に設けられたガイド溝５に入り込んで、内外の各可動体２，３の移動を制御するガイドピン６とを備えている。外側可動体３は、ケース１の内周縁形状よりも僅かに小さな外周縁形状を有する角筒状であり、内側可動体２は、外側可動体３の内周縁形状よりも僅かに小さな外周縁形状を有する角柱状である。即ち、第１実施例のプッシュラッチ装置１０１は、外側可動体３がケース１の軸線Ｃの方向に沿って移動可能に収容されていると共に、外側可動体３に対して内側可動体２がその軸線方向（ケース１の軸線Ｃの方向と合致する）に沿って移動可能に多段式（即ち、テレスコープ式）に収容された形態である。
【００２３】
ケース１について説明する。図１ないし図５に示されるように、ケース１は樹脂材より成り、その軸線Ｃの方向に段付き形状である。ケース１の段付き部分の内壁面には、外側可動体３の張出し部分を当接させるためのストッパ部７（図５参照）が設けられている。また、ケース１の幅方向（ケース１の軸線Ｃと直交する水平方向）の両端部には、プッシュラッチ装置１０１を固定する取付けねじ（図示せず）を挿通させるための取付部８がケース１の両側部に張り出して設けられている。そして、ケース１の底部には、別体の底板部９が装着されている。底板部９は、上面が開口された箱状である。底板部９の底面部のほぼ中央部には、その長手方向（ケース１の軸線Ｃの方向）に沿って一対の第１スリット１１が、幅方向に所定間隔をおいて形成されていると共に、各第１スリット１１の後端部を連結する第２スリット１２が、幅方向に沿って形成されている。第１及び第２の各スリット１１，１２によって底板部９の底面部９ａから抜き取られた部分には、舌片形状の押圧片１３が形成されている。この押圧片１３は、底板部９の上方に向かって屈曲されていて、各スリット１１，１２が設けられていない部分（基端部１３ａ）を支点として弾性変形可能である。そして、その先端部がガイドピン６の自由端部６ａに当接されていて、弾性復元力によって、ガイドピン６の自由端部６ａに押圧荷重を付与するという機能を有している。
【００２４】
また、底板部９の前端部には、ガイドピン６の基端部６ｂを挿入させて支持するための支持部１４が設けられている。ここで、ガイドピン６は、弾性変形可能な線材の両端部がほぼ直角に、かつ互いに反対方向に屈曲された形状であり、各屈曲部分に自由端部６ａと基端部６ｂとが形成されている。ガイドピン６の基端部６ｂが、底板部９の支持部１４に挿入されたとき、ガイドピン６の自由端部６ａは水平面内で揺動可能に支持される。この状態で、ガイドピン６の自由端部６ａは、ケース１の内方に突出され、内側可動体２のガイド溝５に入り込む。
【００２５】
ケース１の内壁面の後端部には、ばね支持部１５が突出されている。ケース１に収容された内外の各可動体２，３とばね支持部１５との間には、圧縮ばね４が弾装されている。これにより、各可動体２，３は、圧縮ばね１５の付勢力（弾性復元力）により、常にケース１の前方（突出位置の側）に向かって付勢されている。
【００２６】
次に、内側可動体２について説明する。内側可動体２の後部の上面部には、圧縮ばね４を配置させるために、上部と後部とが開口された半円筒形状の溝部１６が設けられている。また、内側可動体２の両側壁部の後部は溝部１６から離間されていて、幅方向に撓ませることができると共に、それぞれの後端部には、幅方向に張り出す各突起部１７が設けられている。
【００２７】
内側可動体２の底面部の前部には、内側可動体２と連結される被取付物（例えば、扉体１８）に取り付けられた棒材１９を引っ掛けるための引掛け片２１と、それを戻すための戻しばね２２とを収容するための空間部２３が設けられている。そして、内側可動体２の底面部には、ガイド溝５が設けられている。
【００２８】
空間部２３には、内側可動体の長手方向（軸線Ｃの方向）に所定の間隔をおいて２本の支点軸２４，２５が幅方向に沿って取り付けられている。前側の支点軸２４には、引掛け片２１が回動可能に取り付けられていて、後側の支点軸２５には、戻しばね２５が回動可能に取り付けられている。引掛け片２１は薄板より成り、その後端部が前側の支点軸２４に巻き付けられていると共に、その先端部（被引掛け部２１ａ）はＬ字状に屈曲されている。また、引掛け片２１の後端部から、戻しばね２２と係止される係止部２６が延設されている。
【００２９】
本実施例の戻しばね２２は、ねじりコイルばねであり、その前端部は引掛け片２１の係止部２６を係止していて、その後端部は空間部２３の内壁面に当接されている。
【００３０】
内側可動体３の底面部には、往路と復路が別々になったガイド溝５が設けられている。このガイド溝５は、図５及び図６に示されるように、可動体２の長手方向に沿って設けられた第１案内溝部２０１（往路）と、第１案内溝部２０１の終端部から斜め後方に短い長さで設けられた第２案内溝部２０２（往路）と、第２案内溝部２０２から斜め前方に、第２案内溝部２０２の始端部とほぼ同じ位置まで設けられた第３案内溝部２０３（復路）と、第３案内溝部２０３の終端部と第１案内溝部２０１の途中の部分とを接続する第４案内溝部２０４（復路）とを備えている。第１案内溝部２０１において、始端部２７近傍の部分は、往路と復路の両方の機能を有している。各案内溝部２０１〜２０４の内幅は、ガイドピン６の自由端部６ａの外径よりも少し大きい。ガイド溝５に嵌合されたガイドピン６の自由端部６ａは、内側可動体２がケース１及び外側可動体３に対して相対的に移動されることにより、往路（第１及び第２の各案内溝部２０１，２０２）と復路（第３及び第４の各案内溝部２０３，２０４）を一方向に周回する。
【００３１】
図６の（ａ），（ｂ）に示されるように、第１案内溝部２０１の溝深さは、第４案内溝部２０４との接続部分を超えた位置で始端部２７近傍よりも深くなっており、その境界部分に係止溝部２８が形成されている。内側可動体２が、外側可動体３に対して押し込まれたとき、ガイドピン６の自由端部６ａが係止溝部２８に係止されることにより、ガイドピン６の自由端部６ａが逆方向に移動することが防止される。第２案内溝部２０２の溝深さは、第１案内溝部２０１よりも更に深くなっていて、当該部分に第１落し込み部２９が形成されている。また、第２案内溝部２０３の終端部の溝深さは、第１落し込み部２９よりも更に深くなっていて、当該部分に第２落し込み部３１が形成されている。第２落し込み部３１の内壁面の部分には、ガイドピン６の自由端部６ａを係止するための係止溝部（段付き面３１ａ）が形成されている。
【００３２】
図６の（ａ），（ｃ）に示されるように、第４案内溝部２０４の溝深さは、その下流側に向かうに伴って徐々に浅くなり、その終端部においては第１案内溝部２０１の溝深さよりも浅くなっている。そして、第４案内溝部２０４の終端部は、段付き面３３を介して第１案内溝部２０１と接続されている。
【００３３】
次に、外側可動体３について説明する。図１ないし図５に示されるように、外側可動体３は、ケース１に収容されると共に、前述した内側可動体２を収容可能な角筒状である。そして、両側壁部３４には、内側可動体２の一対の突起部１７を配置させるための窓部３４ａが形成されていると共に、それらの後端部が幅方向に張り出して、各突起部３５が設けられている。内側可動体２が一対の突起部１７を撓ませて外側可動体３に挿入される。内側可動体２の一対の突起部１７が、対応する窓部３４ａに配置されるとそれらの撓みが解放され、一対の突起部１７は、外側可動体３の側壁部３４の窓部３４ａに係合状態で配置される。この状態で、内側可動体２は、外側可動体３の各窓部３４ａ内でのみ移動可能である。
【００３４】
第１実施例のプッシュラッチ装置１０１の作用について説明する。図７に示されるように、プッシュラッチ装置１０１のケース１が、箱体３６の開口部近傍に取り付けられている。プッシュラッチ装置１０１の各可動体２，３は、ケース１から突出されている。圧縮ばね４の付勢力により、内側可動体２がケース１から突出される。このとき、内側可動体２の一対の突起部１７が、外側可動体３の窓部３４ａに係合されていて外側可動体３を引っ張るため、外側可動体３もケース１から突出される。しかし、外側可動体３の一対の突起部３５が、ケース１のストッパ部７に係止されるため、内外の各可動体２，３がそれ以上突出されることが防止される。箱体３６を閉塞する扉体１８には、円筒体３７が埋設されている。円筒体３７の中心部よりも少し上方には、棒材１９が取り付けられている。内外の各可動体２，３は、圧縮ばね４の付勢力により、ケース１に対する突出位置に配置されている。また、ガイドピン６の自由端部６ａは、ガイド溝５の始端部２７に配置されている。
【００３５】
箱体３６に対して扉体１８が相対的に閉じられると、棒材１９が、プッシュラッチ装置１００の内側可動体２の前端面２ａに当接し、内側可動体２を押し込む。図８の（ａ），（ｂ）に示されるように、内側可動体２は棒材１９により、圧縮ばね４の付勢力に抗して外側可動体３に対して押し込まれる。そして、内側可動体２の一対の突起部１７が、外側可動体３の両側壁部３４の窓部３４ａ内でスライドされる。内側可動体２の押し込まれるのに伴い、引掛け片２１の底面部が外側可動体３の底壁部に当接する。更に、内側可動体２が押し込まれると、引掛け片２１の係止部２６が、戻しばね２２をねじりながら、その弾性復元力に抗して支点軸２４の軸線を中心に回動される。これにより、引掛け片２１の引掛け部２１ａが、棒材１９を下方からすくい上げるように回動される。棒材１９は、内側可動体２の前端面２ａと引掛け片２１の引掛け部２１ａとの間に配置される。また、引掛け片２１の底面部は、外側可動体３の底壁部に当接されているため、引掛け片２１が逆方向に回動するおそれはない。
【００３６】
このとき、ガイドピン６の自由端部６ａは、内側可動体２のガイド溝５の第１案内溝部２０１を相対的に走行し、係止溝部２８に係止される。ガイドピン４６の自由端部６ａは、押圧片１３によってガイド溝５の底部に押圧されているため、ガイドピン６の自由端部６ａが、係止溝部２８によって確実に係止される。また、第１案内溝部２０１は、第４案内溝部２０４よりも低くなっているため、第１案内溝部２０１を相対的に走行するガイドピン６の自由端部６ａが、第４案内溝部２０４に進入することはない。この状態で扉体１８に作用する外力（例えば、人が扉体１８を押す力）が解放されても、ガイドピン６の自由端部６ａは係止溝部２８に係止されるため、扉体１８が戻るおそれはない。
【００３７】
更に、内側可動体２を押し込むと、内側可動体２の一対の突起部１７が、外側可動体３の対応する窓部３４ａの後側の内壁面を押圧するため、内外の各可動体２，３が一体となって押し込まれる。図９の（ａ），（ｂ）に示されるように、ガイドピン６の自由端部６ａは、第２案内溝部２０２を相対的に走行し、第２落し込み部３１に落とし込まれた後、圧縮ばね４の付勢力によって少し戻り、第２落し込み部３１の段付き面３１ａに係止される。即ち、内外の各可動体２，３が、ケース１に対する格納位置に配置される。
【００３８】
扉体１８を介して内側可動体２を押し込むと、第２落し込み部３１の段付き面３１ａに係止されていたガイドピン６の自由端部６ａは、少し戻る方向に相対的に走行し、ガイド溝５の第２落し込み部３１から第３落し込み部３２に落とし込まれる。この状態で、扉体１８に作用する外力を解放すると、内外の各可動体２，３は圧縮ばね４の付勢力によって第４案内溝部２０４を相対的に走行し、第１案内溝部２０１を通って始端部２７近傍に配置される。内外の各可動体２，３は、ケースから突出される。即ち、内外の各可動体２，３が、ケース１に対する突出位置に配置される。
【００３９】
本実施例のプッシュラッチ装置１０１では、突出位置に配置されていた内外の各可動体２，３が順次押し込まれることにより、ケース１に格納される。換言すれば、内外の各可動体２，３を重なり状態で配置させることができるため、ケース１の長さが短くて済み、全体の大きさをコンパクトなものにすることができる。また、ストロークが長い場合であっても、各可動体２，３が確実に支持されながら押し込まれるため蛇行しにくくなり、スムーズに押し込まれる。
【００４０】
上記した第１実施例のプッシュラッチ装置１０１では、２個の可動体２，３より成るものであるが、可動体の数が３個以上であってもよい。
【００４１】
第１実施例のプッシュラッチ装置１０１では、内外の各可動体２，３が、ケース１に対する格納位置に配置されたとき、それらの後部は、ケース１内に収容されている。しかし、ケース１の後端部を開口し、各可動体２，３が格納位置に配置されたときそれらの後部を、ケース１の後端部から突出させてもよい。これにより、ケース１の全長を更に短くすることができる。また、ケース１の後端部を開口させることにより、各可動体２，３の組付けが容易になる。
【００４２】
更に、図１０に示される実施例のプッシュラッチ装置１０１のように、ケース１の後端部を蓋体４０で閉塞してもよい。これにより、プッシュラッチ装置１０１の内部にごみ、埃等の異物が侵入することが防止され、各可動体２，３を長期間に亘ってスムーズに作動させることができる。
【実施例２】
【００４３】
第１実施例のプッシュラッチ装置１０１では、内側可動体２の先端部に取り付けられた引掛け片２１が、扉体１８に埋設された棒材１９を引っ掛けることによって、扉体１８と内側可動体２とが連結される形態である。しかし、引掛け片２１ではなく、マグネット等によって両者を連結させてもよい。例えば、図１１に示される第２実施例のプッシュラッチ装置１０２は、内側可動体２の前端面２ａにマグネット３８が取り付けられている場合である。そして、扉体１８には、マグネット３８を磁気吸着させるための磁性板３９が取り付けられている。第２実施例のプッシュラッチ装置１０２の場合、第１実施例のプッシュラッチ装置１０１と同様な効果が奏されると共に、内側可動体２におけるチャック部（マグネット３８）の構成が極めて簡単になるという利点がある。
【実施例３】
【００４４】
また、図１２及び図１３に示される第３実施例のプッシュラッチ装置１０３のように、チャック部の長さを調整可能とすることもできる。第３実施例のプッシュラッチ装置１０３では、内側可動体２の前部に、ねじ部材４１が取り付けられている。内側可動体２の前部には、その幅方向の両端部から一対の側板部４２が延設されていると共に、一対の側板部４２の間で、内側可動体２の上部から上板部４３が延設されている。この上板部４３は薄板より成り、その基端部（可動体２との連結部）を支点として弾性回動させることができる。そして、上板部４３の底面部における幅方向の中央部には、係合突条４３ａが突設されている。この係合突条４３ａは、ねじ部材４１の係合溝４４に入り込み、ねじ部材４１が回動することを抑止している。
【００４５】
内側可動体２の前端面２ａのほぼ中央部には、可動体２の長手方向（可動体２のスライド方向）に沿って雌ねじ４５が設けられている。この雌ねじ４５に、ねじ部材４１が取り付けられている。ねじ部材４１は、円柱形状のねじ部材本体４６の一端部（後端部）に同軸に設けられた雄ねじ４７と、その他端部（前端部）に設けられ、ねじ部材本体４６よりも大径の手回しダイヤル４８とを備えている。ねじ部材本体４６には、２枚のマグネット３８が埋設されていて、各マグネット３８の端部は、手回しダイヤル４７の前端面から突出されている。
【００４６】
ねじ部材４１を、内側可動体２の軸線Ｃの周りに回動させることにより、その前端位置（各マグネット３８の先端位置）を微調整することができる。この微調整は、プッシュラッチ装置１０１を被取付物に取り付けた後であっても可能である。そして、ねじ部材本体４６の外周面に設けられた各係合溝４４に、内側可動体２の上板部４３の係合突条４３ａを嵌合させることにより、ねじ部材４１を回動不能にロックすることができる。
【図面の簡単な説明】
【００４７】
【図１】本発明の第１実施例のプッシュラッチ装置１０１の上方からの斜視図である。
【図２】同じく下方からの斜視図である。
【図３】同じく分解斜視図である。
【図４】プッシュラッチ装置１０１の正面断面図である。
【図５】同じく底面断面図である。
【図６】（ａ）はガイド溝５の平面図、（ｂ）は（ａ）のＸ−Ｘ線断面図、（ｃ）は同じくＹ−Ｙ線断面図である。
【図７】箱体３６にプッシュラッチ装置１０１を取り付けた状態の作用説明図である。
【図８】（ａ）はプッシュラッチ装置１０１の内側可動体２を押し込んだ状態の作用説明図であり、（ｂ）は（ａ）の状態の底面図である。
【図９】（ａ）はプッシュラッチ装置１０１の各可動体２，３を押し込んだ状態の作用説明図であり、（ｂ）は（ａ）の状態の底面図である。
【図１０】ケース１の後端部を蓋体４０によって閉塞した場合のプッシュラッチ装置１０１の正面断面図である。
【図１１】第２実施例のプッシュラッチ装置１０２の上方からの斜視図である。
【図１２】第３実施例のプッシュラッチ装置１０３の上方からの斜視図である。
【図１３】（ａ）は第３実施例のプッシュラッチ装置１０３における内側可動体２の前端部の側面断面図、（ｂ）はその作用説明図である。
【符号の説明】
【００４８】
１０１〜１０３：プッシュラッチ装置
１：ケース（固定部材）
２：内側可動体（可動体群、可動部材）
３：外側可動体（可動体群、可動部材）
４：圧縮ばね（付勢手段）
６：ガイドピン（保持手段）
１８：扉体（移動壁）
１９：棒材（連結部）
３４ａ：窓部（被係合部）
３６：箱体（固定壁）
３８：マグネット（チャック部）
３９：磁性板（連結部）
【図１】
2008190166.tif 000003
【図２】
2008190166.tif 000004
【図３】
2008190166.tif 000005
【図４】
2008190166.tif 000006
【図５】
2008190166.tif 000007
【図６】
2008190166.tif 000008
【図７】
2008190166.tif 000009
【図８】
2008190166.tif 000010
【図９】
2008190166.tif 000011
【図１０】
2008190166.tif 000012
【図１１】
2008190166.tif 000013
【図１２】
2008190166.tif 000014
【図１３】
2008190166.tif 000015
【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
固定壁に固定することが予定されていると共に、少なくとも長手方向の一端部側に開口部が形成された中空状の固定部材と、
前記固定部材の内部において、前記一端部側から他端部側へ、前記長手方向に沿って一列状に配置された複数の可動部材を有し、これらの可動部材について、互いに隣り合うものどうしのうちの一端部側のものが他端部側の内部に入り込む入れ子状態に形成すると共に、前記固定部材の開口部よりも一端部側に突出する突出位置と、その突出位置よりも他端部側に収納されて保持される格納位置との間を、前記長手方向に沿って直線的に移動させることによって多段式の伸縮を可能とした可動体群と、
前記固定部材に取り付けられ、前記可動体群を前記突出位置側へ付勢する付勢手段と、
前記格納位置に移動した可動体群を、前記付勢手段の付勢力に抗してそれぞれの位置を保持すると共に、前記可動体群のうち、最も内側に配置される内側可動部材を、前記長手方向の他端部側へ押し込むことによってそれらの位置保持状態を一括して解放する保持手段と、
を備えることを特徴とするプッシュラッチ装置。
【請求項２】
固定壁に固定することが予定されていると共に、少なくとも長手方向の一端部側に開口部が形成された中空状の固定部材と、
前記固定部材の内部において、前記一端部側から他端部側へ、前記長手方向に沿って一列状に配置された複数の可動部材を有し、これらの可動部材について、互いに隣り合うものどうしのうちの一端部側のものが他端部側の内部に入り込む入れ子状態に形成すると共に、前記固定部材の開口部よりも一端部側に突出する突出位置と、その突出位置よりも他端部側に収納されて保持される格納位置との間を、前記長手方向に沿って直線的に移動させることによって多段式の伸縮を可能とした可動体群と、
前記固定部材に取り付けられ、前記可動体群を前記突出位置側へ付勢する付勢手段と、
前記固定部材に取り付けられ、前記格納位置に移動した可動体群のうち、最も内側に配置される内側可動部材に設けられたガイド溝に係止して、前記付勢手段の付勢力に抗してそれぞれの位置を保持すると共に、前記内側可動部材を、前記長手方向の他端部側へ押し込むことにより、前記ガイド溝との係止状態を解除してそれらの位置保持状態を一括して解放する保持手段と、
前記固定壁に対して接近・離間する移動壁への取付けが予定された連結部と係合するために、前記内側可動部材の一端部に、前記長手方向と交差する回動軸線周りで回動する形態で取り付けられ、前記可動体群が前記格納位置に配置されたときに前記連結部と係合する一方、その格納位置において前記内側可動部材を前記長手方向の他端部側へ押し込み、前記ガイド溝と前記保持手段との係止状態を解除し、前記回動軸線周りで逆方向に回動させることによって、前記連結部との係合を解除するチャック部と、
を備えることを特徴とするプッシュラッチ装置。
【請求項３】
前記連結部は、前記移動壁に取り付けられた棒材であり、
前記チャック部は、前記移動壁と前記内側可動部材とが相対的に接近したときに、前記棒材を引っ掛けるために、前記可動部材の移動方向と交差する軸線周りで回動自在に取り付けられた引掛け片であることを特徴とする請求項２に記載のプッシュラッチ装置。
【請求項４】
前記固定壁と前記移動壁とが離間している状態で、前記引掛け片は前記可動部材の底面部よりも下方に配置されていて、
前記内側可動部材が前記棒材に当接し、相対的に押圧されて前記固定部材に嵌合されるように移動するときに、前記引掛け片が隣り合う可動部材の底面部に当接し、前記棒材を引っ掛けるように回動されることを特徴とする請求項３に記載のプッシュラッチ装置。
【請求項５】
固定壁に固定することが予定されていると共に、少なくとも長手方向の一端部側に開口部が形成された中空状の固定部材と、
前記固定部材の内部において、前記一端部側から他端部側へ、前記長手方向に沿って一列状に配置された複数の可動部材を有し、これらの可動部材について、互いに隣り合うものどうしのうちの一端部側のものが他端部側の内部に入り込む入れ子状態に形成すると共に、前記固定部材の開口部よりも一端部側に突出する突出位置と、その突出位置よりも他端部側に収納されて保持される格納位置との間を、前記長手方向に沿って直線的に移動させることによって多段式の伸縮を可能とした可動体群と、
前記固定部材に取り付けられ、前記可動体群を前記突出位置側へ付勢する付勢手段と、
前記固定部材に取り付けられ、前記格納位置に移動した可動体群のうち、最も内側に配置される内側可動部材に設けられたガイド溝に係止して、前記付勢手段の付勢力に抗してそれぞれの位置を保持すると共に、前記内側可動部材を、前記長手方向の他端部側へ押し込むことにより、前記ガイド溝との係止状態を解除してそれらの位置保持状態を一括して解放する保持手段と、
前記固定壁に対して接近・離間する移動壁への取付けが予定された磁性板と磁気吸着するために、前記内側可動部材の先端部に取り付けられたマグネットと、
を備えることを特徴とするプッシュラッチ装置。
【請求項６】
前記固定部材の後端部が開口されていて、前記格納位置に移動した可動体群は、それらの後端部を前記固定部材の後端部から突出させて保持されることを特徴とする請求項１ないし５のいずれか１項に記載のプッシュラッチ装置。
【請求項７】
前記固定部材は、前記複数の可動部材が後退したときにそれらの後端部が前記固定部材の後端部から突出しない長さを有していて、前記固定部材の後端部に形成された開口部は、前記付勢手段を受け止める蓋体によって閉塞されていることを特徴とする請求項１ないし６のいずれか１項に記載のプッシュラッチ装置。
【請求項８】
前記内側可動部材の前端位置が、前記長手方向に微調整可能であることを特徴とする請求項１ないし７のいずれか１項に記載のプッシュラッチ装置。
【手続補正２】
【補正対象書類名】明細書
【補正対象項目名】０００７
【補正方法】変更
【補正の内容】
【０００７】
上記課題を解決するための第２の発明は、
固定壁に固定することが予定されていると共に、少なくとも長手方向の一端部側に開口部が形成された中空状の固定部材と、
前記固定部材の内部において、前記一端部側から他端部側へ、前記長手方向に沿って一列状に配置された複数の可動部材を有し、これらの可動部材について、互いに隣り合うものどうしのうちの一端部側のものが他端部側の内部に入り込む入れ子状態に形成すると共に、前記固定部材の開口部よりも一端部側に突出する突出位置と、その突出位置よりも他端部側に収納されて保持される格納位置との間を、前記長手方向に沿って直線的に移動させることによって多段式の伸縮を可能とした可動体群と、
前記固定部材に取り付けられ、前記可動体群を前記突出位置側へ付勢する付勢手段と、
前記固定部材に取り付けられ、前記格納位置に移動した可動体群のうち、最も内側に配置される内側可動部材に設けられたガイド溝に係止して、前記付勢手段の付勢力に抗してそれぞれの位置を保持すると共に、前記内側可動部材を、前記長手方向の他端部側へ押し込むことにより、前記ガイド溝との係止状態を解除してそれらの位置保持状態を一括して解放する保持手段と、
前記固定壁に対して接近・離間する移動壁への取付けが予定された連結部と係合するために、前記内側可動部材の一端部に、前記長手方向と交差する回動軸線周りで回動する形態で取り付けられ、前記可動体群が前記格納位置に配置されたときに前記連結部と係合する一方、その格納位置において前記内側可動部材を前記長手方向の他端部側へ押し込み、前記ガイド溝と前記保持手段との係止状態を解除し、前記回動軸線周りで逆方向に回動させることによって、前記連結部との係合を解除するチャック部と、
を備えることを特徴としている。
【手続補正３】
【補正対象書類名】明細書
【補正対象項目名】００１３
【補正方法】変更
【補正の内容】
【００１３】
そして、第３の発明は、固定壁に固定することが予定されていると共に、少なくとも長手方向の一端部側に開口部が形成された中空状の固定部材と、
前記固定部材の内部において、前記一端部側から他端部側へ、前記長手方向に沿って一列状に配置された複数の可動部材を有し、これらの可動部材について、互いに隣り合うものどうしのうちの一端部側のものが他端部側の内部に入り込む入れ子状態に形成すると共に、前記固定部材の開口部よりも一端部側に突出する突出位置と、その突出位置よりも他端部側に収納されて保持される格納位置との間を、前記長手方向に沿って直線的に移動させることによって多段式の伸縮を可能とした可動体群と、
前記固定部材に取り付けられ、前記可動体群を前記突出位置側へ付勢する付勢手段と、
前記固定部材に取り付けられ、前記格納位置に移動した可動体群のうち、最も内側に配置される内側可動部材に設けられたガイド溝に係止して、前記付勢手段の付勢力に抗してそれぞれの位置を保持すると共に、前記内側可動部材を、前記長手方向の他端部側へ押し込むことにより、前記ガイド溝との係止状態を解除してそれらの位置保持状態を一括して解放する保持手段と、
前記固定壁に対して接近・離間する移動壁への取付けが予定された磁性板と磁気吸着するために、前記内側可動部材の先端部に取り付けられたマグネットと、
を備えることを特徴としている。
【手続補正４】
【補正対象書類名】明細書
【補正対象項目名】００１４
【補正方法】変更
【補正の内容】
【００１４】
マグネットにより連結されるため、その構成が極めて簡単である。